(57)【要約】【課題】操作性に優れ、使い勝手の良いポインタ機能を有するプロジェクタ、および、当該ポインタ機能を実現するポインタプログラムを提供すること。【解決手段】プロジェクタは、画像信号が入力されると、画像信号における静止画像を検出する静止画像検出手段と、検出された静止画像の中から文字を含む文字エリアを抽出するＯＣＲ手段と、抽出された文字エリアのうち、いずれか１つの文字エリアを際立たせるためのカーソル表示を静止画像に重畳させるカーソル表示手段とを実現するポインタプログラムを実行する。さらに、操作手段であるリモコンからカーソル表示を移動させるための移動信号を受信すると、移動信号に応じて、例えば、文字エリア７１から文字エリア７２へのように、選択されている文字エリアから隣接する文字エリアへカーソル表示を移動させる。【選択図】図３
2007249482.tif 000002
【特許請求の範囲】
【請求項１】
入力される画像信号により表される画像を投写するプロジェクタであって、
前記画像の遷移を時系列に観察し静止画像を検出する静止画像検出手段と、
前記検出された静止画像の中から文字を含む部位を段落ごとに区分けた文字エリアとして抽出するＯＣＲ手段と、
前記抽出された文字エリアのうち、いずれか１つの文字エリアを際立たせるためのカーソル表示を前記静止画像に重畳させるカーソル表示手段と、
初期設定において前記カーソル表示がなされる初期文字エリアから、隣接する文字エリアに前記カーソル表示を移動させるための操作手段とを、備えることを特徴とするプロジェクタ。
【請求項２】
前記操作手段は、前記プロジェクタを遠隔操作するためのリモコンであり、前記リモコンは、前記カーソル表示を、隣接する前記文字エリアに移動させるための前記静止画像における上下左右方向に対応した移動ボタンを含む複数の操作ボタンを備えることを特徴とする請求項１に記載のプロジェクタ。
【請求項３】
前記初期文字エリアは、前記静止画像による投写画像を正対して観察したときに、最も上方に位置していること、および、最も上方に位置している前記文字エリアが複数ある場合には、向かって左側に位置していることを基準として選択されることを特徴とする請求項１または２に記載のプロジェクタ。
【請求項４】
前記カーソル表示には、選択されている前記文字エリア全体を際立たせるためのブロックカーソル表示と、選択されている前記文字エリアの一部を示す部分カーソル表示とが含まれ、複数の前記カーソル表示は、選択可能に設けられていることを特徴とする請求項２または３に記載のプロジェクタ。
【請求項５】
前記カーソル表示手段は、選択されている前記文字エリアを前記カーソル表示を含めて拡大表示する拡大機能を備え、
前記リモコンにより、前記拡大機能を実行する操作がなされると、選択されている前記文字エリアを前記投写画像の画面内において拡大表示することを特徴とする請求項２〜４のいずれか一項に記載のプロジェクタ。
【請求項６】
さらに、複数のスケーラブルフォントを記憶する記憶部を備え、
前記拡大機能を実行する操作がなされると、前記選択されている文字エリアのフォントを、前記記憶部の対応するスケーラブルフォントと入れ替えてから前記文字エリアを拡大表示することを特徴とする請求項５に記載のプロジェクタ。
【請求項７】
入力される画像信号が表す画像を投写するプロジェクタにより実行され、選択された文字を含む部位である文字エリアにカーソルを表示するポインタプログラムであって、
前記画像の遷移を時系列に観察し静止画像を検出するステップと、
前記検出された静止画像の中から段落ごとに区分けた前記文字エリアを抽出するステップと、
初期設定において前記カーソルが表示される初期文字エリアを前記検出された文字エリアの中から選択し前記初期文字エリアに前記カーソルを表示するステップと、
前記初期文字エリアから隣接する文字エリアへ移動するための移動信号を受信すると、前記移動先の文字エリアに前記カーソル表示を移動させるステップとを、含むことを特徴とするポインタプログラム。
【発明の詳細な説明】
【技術分野】
【０００１】
本発明は、画像を投写するプロジェクタに係り、特に投写画像における所望の部位を指し示すための技術に関する。
【背景技術】
【０００２】
近年、学校や、企業などにおいて、パーソナルコンピュータ（以降、「ＰＣ」という）により作成した資料を、当該ＰＣと接続したプロジェクタにより拡大投写し、プレゼンテーションする機会が多くなってきている。
プロジェクタを用いてプレゼンテーションを行う際には、より発表内容を解りやすくするために、投写画像における特定の部位、例えば、説明途上の文章部分や、図表などを指し示しながら（以降、「ポインタ機能」ともいう）発表する方法が一般的であった。
特定の部位を指し示す手段としては、例えば、レーザーポインタを用いる方法や、プロジェクタに画像信号を供給しているＰＣ側で、所望の部位を指し示す方法があった。
【０００３】
レーザーポインタを用いる場合、使用者は、レーザーポインタの出光部を投写画面に向け、指し示したい部位にスポット状のレーザー光線を照射していた。しかし、レーザーポインタは人手により操作されるため、手ぶれにより照射ポイントが安定せず、見づらいという問題があった。また、誤操作により、視聴者の方に出光部が向いてしまう恐れがあり、視聴者の視覚機能に影響を与えかねないという問題点があった。
また、ＰＣを用いる場合は、ＰＣのマウスや、トラックボールなどのポインティングデバイスにより、所望の部位へカーソルを動かすことができるが、この方法は、あくまでも発表者がＰＣを操作しながら、プレゼンテーションを行うことが可能な環境であるか、または、発表者の他に、ＰＣを操作する息が合った操作者がいる環境であることが前提となっていた。つまり、発表者がＰＣを意図するように操作できない環境においては、当該手段を用いることは困難であった。
【０００４】
図７は、従来のプロジェクタの使用態様を示す図である。このような問題に鑑み、例えば、特許文献１に示されるようなプロジェクタが提案されている。
従来のプロジェクタ２００は、複数のリモコン２１０，２１１を備えており、当該リモコン２１０，２１１ごとに、固有のカーソル２２０，２２１を持たせていた。プロジェクタ２００は、カーソル２２０，２２１を表す画像データを投写画像２０１の画像信号に重畳させるとともに、それぞれ対応するリモコン２１０，２１１の操作に応じて、各カーソルを当該画像上で移動させていた。また、カーソル２２０，２２１の移動操作は、各リモコン２１０，２１１に設けられた投写画像２０１の上下左右方向に対応する上ボタン２１５、下ボタン２１６、左ボタン２１７、右ボタン２１８の４つの移動ボタンにより行われていた。
【０００５】
【特許文献１】特開平９−３２５４１１号公報
【発明の開示】
【発明が解決しようとする課題】
【０００６】
しかしながら、従来のプロジェクタ２００のポインタ機能では、リモコンの操作中は、常にカーソルの位置を注視していなければならず、カーソルの位置合せに気を取られてしまうことから、プレゼンテーションのスムーズな流れを中断してしまう恐れがあった。
例えば、点Ｐ（ｘ１、ｙ１）の位置にあるカーソル２２０を投写画像２０１上の所望の部位としての点Ｑ（ｘ２、ｙ２）へ移動させる場合、矢印ａに示すように、まず、カーソル２２０の位置が座標ｘ２近傍に来るまでリモコン２１０の右ボタン２１８を押し続け、次いで、矢印ｂのようにカーソル２２０の位置が座標ｙ２近傍に来るまで上ボタン２１５を押し続けるという操作が必要であった。なお、操作順序は、上ボタン２１５の操作を先に行っても良い。この操作は、簡単そうに感じられるが、移動ボタンを押している間カーソル２２０もピクセル単位で動いていることから、常に画像２０１におけるカーソル２２０の位置関係を注視している必要があり、非常に煩わしいものであった。
また、目測を誤った場合は、左ボタン２１７や、下ボタン２１６を操作して、カーソル２２０の位置を修正する必要もあった。
【０００７】
また、このような煩わしい操作性を改善するために、移動ボタンを一定時間押し続けると、カーソル２２０の移動速度を速めるという機能も提案されていたが、実態としては、移動速度が上がったことにより、カーソル２２０のコントロールが難しくなり、カーソル２２０が目標位置を行き過ぎてしまうことが多くなってしまっていた。
また、画像２０１のように複数の文字領域７１〜７４を主体とした資料の場合、説明の順番に沿って、おおまかに各文字エリアを指し示しながら説明を行いたいが、前述したようにカーソル２２０がｘ軸、ｙ軸に沿ってピクセル単位で移動する方法では、カーソル２２０の位置合せに気を取られてしまい、肝心の説明の方が疎かになってしまう恐れもあった。
このように、従来のプロジェクタ２００におけるポインタ機能では、説明の流れに沿ってスムーズに所望の部位を指し示すことが困難であるという問題点があった。
【０００８】
上記課題を解決するために、本発明では、操作性に優れ、使い勝手の良いポインタ機能を有するプロジェクタ、および、当該ポインタ機能を実現するポインタプログラムを提供することを目的の一つとする。
【課題を解決するための手段】
【０００９】
上述した目的を達成するために、本発明のプロジェクタは、入力される画像信号により表される画像を投写するプロジェクタであって、画像の遷移を時系列に観察し静止画像を検出する静止画像検出手段と、検出された静止画像の中から文字を含む部位を段落ごとに区分けた文字エリアとして抽出するＯＣＲ手段と、抽出された文字エリアのうち、いずれか１つの文字エリアを際立たせるためのカーソル表示を静止画像に重畳させるカーソル表示手段と、初期設定においてカーソル表示がなされる初期文字エリアから、隣接する文字エリアにカーソル表示を移動させるための操作手段とを、備えることを特徴とする。
【００１０】
この構成によれば、操作手段は、初期文字エリアから、隣接する文字エリアにカーソル表示を移動させることから、本発明のプロジェクタにおけるポインタ機能は、投写画像における文字エリア単位により行われる。
よって、ドット単位で動きながらカーソルが移動するため、カーソルの位置合せに気を取られてしまう従来のプロジェクタのポインタ機能と異なり、本発明のプロジェクタのポインタ機能は、文字を含む部位を段落ごとに区分けた文字エリア単位でカーソルが移動するため、簡便な操作でカーソルを大きく素早く、所望の文字エリアまで移動させることができる。
また、文字エリアは、静止画像検出手段が静止画像を検出すると、ＯＣＲ手段により自動的に抽出されることから、使用者は、抽出された文字エリアの中から所望の文字エリアを選択するのみで良く、使い勝手が良い。
なお、本明細書内における静止画像とは、あらかじめ定められた時間内において、画像の遷移がない画像を指す。
従って、操作性に優れ、使い勝手の良いポインタ機能を有するプロジェクタを提供することができる。
【００１１】
本発明に係わるプロジェクタによれば、操作手段は、プロジェクタを遠隔操作するためのリモコンであり、リモコンは、カーソル表示を、隣接する文字エリアに移動させるための静止画像における上下左右方向に対応した移動ボタンを含む複数の操作ボタンを備えることが好ましい。
【００１２】
この構成によれば、リモコンは、カーソル表示を、隣接する文字エリアに移動させるための静止画像における上下左右方向に対応した移動ボタンを備えていることから、当該移動ボタンの１回の操作により、カーソル表示を隣接する文字エリアへ移動させることができる。
よって、遠隔操作が可能なリモコンへの簡単な操作により、所望の文字エリアにカーソル表示を移動することができる。
また、プロジェクタには、一般的に遠隔操作用のリモコンが付属していることから、特別なハードウエア構成を必要としない。
従って、操作性に優れ、使い勝手の良いポインタ機能を有するシンプルな構成のプロジェクタを提供することができる。
【００１３】
本発明に係わるプロジェクタによれば、初期文字エリアは、静止画像による投写画像を正対して観察したときに、最も上方に位置していること、および、最も上方に位置している文字エリアが複数ある場合には、向かって左側に位置していることを基準として選択されることが好ましい。
【００１４】
プレゼンテーション用の資料は、発表の順序に沿うように当該資料の上方から下方に向かって段落が構成されているのが一般的である。また、横長の資料である場合には、文章の流れと同一方向の左から右に向かって段落構成がなされている。
この構成によれば、初期文字エリアは、静止画像による投写画像を正対して観察したときに、最も上方に位置していること、および、最も上方に位置している文字エリアが複数ある場合には、向かって左側に位置していることを基準として選択されることから、当該静止画像において、最初に発表する可能性が高い文字エリアが初期文字エリアとして選択される。
よって、静止画像が検出されると特別な操作を必要とせずに、最初に発表する可能性が高い初期文字エリアをカーソル表示により際立たせることができる。
従って、使い勝手の良いポインタ機能を備えるプロジェクタを提供することができる。
【００１５】
本発明に係わるプロジェクタによれば、カーソル表示には、選択されている文字エリア全体を際立たせるためのブロックカーソル表示と、選択されている文字エリアの一部を示す部分カーソル表示とが含まれ、複数の前記カーソル表示は、選択可能に設けられていることが好ましい。
【００１６】
この構成によれば、ブロックカーソル表示、および部分カーソル表示を含む複数のカーソル表示は、選択可能に設けられていることから、プレゼンテーションの内容に応じて、相応しいカーソル表示を選択することができる。
従って、使い勝手の良いポインタ機能を備えるプロジェクタを提供することができる。
【００１７】
本発明に係わるプロジェクタによれば、カーソル表示手段は、選択されている文字エリアをカーソル表示を含めて拡大表示する拡大機能を備え、リモコンにより、拡大機能を実行する操作がなされると、選択されている文字エリアを投写画像の画面内において拡大表示することが好ましい。
【００１８】
プレゼンテーション用の資料によっては、小さい文字フォントを使って構成されているものもあるため、プロジェクタで拡大投写しても判読が困難な場合もあった。
この構成によれば、リモコンにより、拡大機能を実行する操作がなされると、選択されている文字エリアを投写画面内において拡大表示することから、小さい文字フォントを含む文字エリアを拡大表示することができる。
よって、小さな文字フォントを含む文字エリアを際立たせるとともに、文字の判読を容易にすることができる。
従って、使い勝手の良いポインタ機能を備えるプロジェクタを提供することができる。
【００１９】
本発明に係わるプロジェクタによれば、さらに、複数のスケーラブルフォントを記憶する記憶部を備え、拡大機能を実行する操作がなされると、選択されている文字エリアのフォントを、記憶部の対応するスケーラブルフォントと入れ替えてから文字エリアを拡大表示することが好ましい。
【００２０】
プレゼンテーション用の資料における小さい文字フォントを拡大した場合、ビットマップフォントで表された文字画像を拡大することになるため、ジャギーが発生し読み難い文字表示となってしまう。
この構成によれば、拡大機能を実行する操作がなされると、選択されている文字エリアのフォントを、記憶部の対応するスケーラブルフォントと入れ替えてから文字エリアを拡大表示することから、拡大表示された文字エリアの文字は、ジャギーのない読み易い文字として表示される。
よって、小さな文字フォントを含む文字エリアを際立たせるとともに、文字の判読を容易にすることができる。
従って、使い勝手の良いポインタ機能を備えるプロジェクタを提供することができる。
【００２１】
上述した目的を達成するために、本発明のポインタプログラムは、入力される画像信号が表す画像を投写するプロジェクタにより実行され、選択された文字を含む部位である文字エリアにカーソルを表示するポインタプログラムであって、画像の遷移を時系列に観察し静止画像を検出するステップと、検出された静止画像の中から段落ごとに区分けた文字エリアを抽出するステップと、初期設定においてカーソルが表示される初期文字エリアを検出された文字エリアの中から選択し初期文字エリアにカーソルを表示するステップと、初期文字エリアから隣接する文字エリアへ移動するための移動信号を受信すると、移動先の文字エリアにカーソル表示を移動させるステップとを、含むことを特徴とする。
【００２２】
このポインタプログラムによれば、カーソル表示は、投写画像における文字エリア単位により行われる。
よって、ドット単位で動きながらカーソルが移動するため、カーソルの位置合せに気を取られてしまう従来のプロジェクタのポインタ機能と異なり、本発明のポインタプログラムによるポインタ機能は、文字を含む部位を段落ごとに区分けた文字エリア単位でカーソルが移動するため、簡便な操作でカーソルを大きく素早く、所望の文字エリアまで移動させることができる。
また、検出された静止画像の中から段落ごとに区分けた文字エリアを抽出するステップを含むことから、使用者は、検出された文字エリアの中から所望の文字エリアを選択するのみで良く、使い勝手が良い。
また、前述の静止画像検出手段、ＯＣＲ手段、およびカーソル表示手段は、従来のプロジェクタと略同等なハードウエア構成を備えたプロジェクタによりポインタプログラムを実行することにより、実現可能である。
よって、本発明のポインタ機能を実現させるためには、特別なハードウエア構成を必要としない。
従って、操作性に優れ、使い勝手の良いポインタ機能を実現するポインタプログラムを提供することができる。
【発明を実施するための最良の形態】
【００２３】
以下、本発明の実施形態を図面に基づいて説明する。
【００２４】
（実施形態）
《プロジェクタの概略構成》
図１は、本発明の一実施形態におけるプロジェクタの概略構成図である。ここでは、図１を用いてプロジェクタ１００の概略構成について説明する。
プロジェクタ１００は、光源部５からの光を、赤色（Ｒ）光、緑色（Ｇ）光、青色（Ｂ）光の光３原色成分に分離し、色光ごとの光変調装置である各色光用の液晶ライトバルブ８Ｒ，８Ｇ，８Ｂにより画像信号に応じて変調し、再度合成したフルカラーの変調光を拡大投写する、いわゆる「液晶３板式プロジェクタ」である。なお、液晶ライトバルブ８Ｒ，８Ｇ，８Ｂは、解像度に応じた複数の画素を有するアクティブマトリクス型の液晶表示装置であり、光学部７の構成に含まれている。
【００２５】
プロジェクタ１００は、光源部５、光学部７、投写レンズ１０、画像信号コンバータ１１、画像信号処理部１２、画像信号補正部１６、液晶パネル駆動部１８、制御部２０、記憶部２１、操作受付け部２３、リモコン２４、電源部２６、ランプ駆動部２７などから構成されている。
光源部５は、メタルハライドランプや、高圧水銀ランプなどの高輝度が得られる放電式ランプ１と、ランプ１が放射した光を集光し、光学系７に向けて出射するリフレクタ３を含んで構成されている。
光学部７は、光源部５からの光を輝度分布の安定した光に変換するインテグレータ光学系と、輝度分布の安定した光を光の３原色である赤色、緑色、青色の各色光成分に分離して各色光用の液晶ライトバルブ８Ｒ，８Ｇ，８Ｂに供給する分離光学系と、当該液晶ライトバルブにて各色光毎の画像信号に応じて変調された各色光を、再度合成する合成光学系（いずれも図示せず）とを含んで構成されている。
投写レンズ１０は、広角ズームレンズであり、光学系７からの変調光を拡大投写し、スクリーンなどにフルカラーの画像を写し出す。
【００２６】
画像信号コンバータ１１は、３チャンネルのＡＤ変換回路（図示せず）を内蔵したビデオデコーダである。例えば、画像信号供給装置８０がＰＣである場合、入力されるアナログＲＧＢ信号を各色画像信号ごとにＡＤ変換し、デジタル画像信号として画像信号処理部１２に出力する。また、入力画像信号が、コンポジット信号（Y/C）や、コンポーネント信号（YUV，YCrCb）である場合は、ＲＧＢ信号にデコードしてからＡＤ変換を行う。
また、画像信号コンバータ１１は、ＰＬＬ（Phase Locked Loop）を含むサンプリングクロック生成回路（図示せず）を含んで構成され、当該サンプリングクロック生成回路が生成する画像信号の水平同期周波数を逓倍したサンプリングクロックによりＡＤ変換を行う。なお、サンプリングクロック生成回路は、画像信号処理部１２に含まれる構成であっても良い。
また、画像信号はＬＡＮ（Local Area Network）を経由して入力されることであっても良い。この場合、画像信号は、ケーブルを介したＬＡＮカード、または無線ＬＡＮカードから、カードコントローラを搭載したサウスブリッジなどのＩ／Ｏブリッジ部（いずれも図示せず）およびバスラインＢｕｓを経由して画像信号コンバータ１１に入力される。
【００２７】
画像信号処理部１２は、スケーラであり、フレームバッファ１３が付属している。
フレームバッファ１３は、例えば、ＤＲＡＭ（Dynamic Random Access Memory）により構成された、ＲＧＢの各色光ごとの色画像信号による画像データを記憶する３つのフレームメモリ（以降、区分けのため「フレームメモリＲ，Ｇ，Ｂ」もいう）と、さらに所定画像を記憶する２つのフレームメモリ（以降、区分けのため「フレームメモリＤ，Ｅ」という）との、少なくとも５画面分のフレームメモリを備えている。また、フレームバッファ１３は、ＲＧＢ画像データをマトリックス演算することにより導出されるコンポーネント信号における輝度（Ｙ）データなども記憶することができる。
【００２８】
画像信号処理部１２は、各色画像信号により表される画像を、当該各色画像信号の持つ解像度でＲＧＢの色光ごとにフレームバッファ１３に書き込み、液晶ライトバルブ８Ｒ，８Ｇ，８Ｂにて表示可能な解像度に変換して読み出すスケーリング処理を施す。さらに、スケーリング処理における画素の間引きや、補間処理に起因して、表示画像が不自然になってしまうことを防ぐため、スケーリングが施された画像信号に、さらにデジタルフィルタによる画像処理を施す。画像処理には、ＲＧＢ画像データから変換されたコンポーネント信号の輝度（Ｙ）データを用いて、ラプラシアンフィルタなどのデジタルフィルタにより画素間の階調差による境目（「エッジ」ともいう）を抽出し、階調差を強調する輪郭補正（「シャープネス補正」ともいう）などの処理が含まれている。
【００２９】
画像信号補正部１６は、１Ｄ（Dimension）−ＬＵＴ、３Ｄ−ＬＵＴなどから構成される画像補正回路や、相展開回路、およびＤＡ変換回路（いずれも図示せず）などを含んで構成されている。
画像補正回路は、１Ｄ−ＬＵＴによる液晶ライトバルブ８Ｒ，８Ｇ，８ＢごとのＶＴ特性（印加電圧と、透過率との特性）を補正するγ補正や、３Ｄ−ＬＵＴによる当該液晶ライトバルブごとの固有の色むらを補正する色むら補正および色域補正などの画像補正を行う。
相展開回路は、画像補正がなされたシリアルデータ形式の画像信号を、複数相のパラレルデータに変換する。これは、高解像度の各液晶ライトバルブ８Ｒ，８Ｇ，８Ｂへ画像信号を確実に書き込むために行われ、プロジェクタ１００では、１２相展開している。
ＤＡ変換回路は、各種画像処理が施されたデジタルＲＧＢ信号を各色画像信号ごとにＤＡ変換する３チャンネルのＤＡコンバータである。
【００３０】
また、画像信号補正部１６には、ＯＳＤメモリ１７が付属している。ＯＳＤメモリ１７には、プロジェクタ１００を操作するための様々な操作メニュー画面のグラフィックデータや、複数のカーソル表示データ、スケーラブルフォントを含むフォントデータなどが記憶されている。
画像信号補正部１６は、制御部２１からのコマンドにより、ＯＳＤメモリ１７から指定されたデータを読み出し、当該データが表す画像データを生成し、画像信号に重畳させるＯＳＤ（On Screen Display）機能を司る。なお、ＯＳＤメモリ１７を専用に設けることに限定するものではなく、例えば、記憶部２１の記憶容量を増やし、記憶部２１にＯＳＤメモリ１７の記憶データを全て記憶させることにより、記憶部２１のみの構成としても良い。
【００３１】
液晶パネル駆動部１８は、画像信号補正部１６からの各色アナログ画像信号および駆動信号などを、各液晶ライトバルブ８Ｒ，８Ｇ，８Ｂに供給する。
制御部２０は、ＣＰＵ（Central Processing Unit）であり、画像信号処理部１２、および画像信号補正部１６を含む各部とバスラインＢｕｓを介して信号のやり取りを行い、プロジェクタ１００の動作を制御する。
記憶部２１は、例えば、マスクＲＯＭや、フラッシュメモリ、ＦｅＲＡＭなどの不揮発性のメモリにより構成されている。記憶部２１には、プロジェクタ１００を起動させるための順序と内容を規定した起動プログラムなどの当該プロジェクタの動作を制御するための様々なプログラムおよび付随するデータが記憶されている。
様々なプログラムには、投写画像における文字を含む部位である文字エリアをカーソルにより指し示すためのポインタプログラムが含まれている。ポインタプログラムには、ＯＣＲ（Optical Character Reader）プログラムが組み込まれており、フレームバッファ１３に書き込まれた画像データから文字および文字領域を抽出することができる。
また、記憶部２１は、フレームバッファ１３の機能の一部（例えば、静止画像を記憶するなど）を代行することもできる。
【００３２】
操作受付け部２３には、リモコン２４からの無線信号を受信する受信回路（図示せず）が含まれるとともに、操作部２５が付属している。操作受付け部２３は、リモコン２４、または操作部２５への操作がなされると、当該操作を受付け、制御部２０に各種動作のトリガとなる操作信号を送る。
操作手段としてのリモコン２４は、プロジェクタ１００を遠隔操作するためのリモコンであり、プロジェクタ１００を操作するための複数の操作ボタンを備えている。複数の操作用ボタンには、プロジェクタ１００を起動およびシャットダウンするための「電源ボタン」や、各種操作メニューを表示させるための「Menuボタン」（いずれも図示せず）に加えて、カーソル表示を投写画面上で上下左右方向に移動させる、上ボタン３１、下ボタン３２、左ボタン３３、右ボタン３４という４つの移動ボタン、および選択されている文字エリアを拡大表示するための拡大ボタン３５などが含まれている。また、操作メニューにおいて、複数のカーソル表示の中から所望のカーソル表示を選択するメニュー画面を表示させた場合には、４つの移動ボタンによりカーソル表示を選択することができる。
操作部２５は、プロジェクタ１００個体の上面に設けられた操作パネルであり、リモコン２４と同様の複数の操作ボタンを備えた操作手段である。
【００３３】
電源部２６は、外部電源８５からの交流電力をインレットから導き、内蔵するＡＣ／ＤＣ変換部（いずれも図示せず）にて変圧、整流および平滑するなどの処理を施すことにより安定化させた電力をプロジェクタ１００の各部に供給する。
ランプ駆動部２７は、電源部２６からの電力供給を受け、ランプ１を点灯させるために高電圧を発生して放電経路を形成するイグナイタ回路と、点灯後の安定した点灯状態を維持するためのバラスト回路（いずれも図示せず）とを含んで構成されている。
【００３４】
《ポインタ機能の一態様》
図２は、ポインタ機能の流れを示す流れ図（フローチャート）である。図３は、投写画像の変遷を示す図である。ここでは、プロジェクタ１００におけるポインタ機能の一態様について図２を中心に、適宜図１および図３を交えて説明する。
プロジェクタ１００は、外部からの画像信号入力を検出すると、本発明のポインタ機能を実現する記憶部２１のポインタプログラムを実行する。なお、初期設定において、フレームバッファ１３における所定画像用メモリフレームＤ，Ｅは、クリアされている。
【００３５】
ステップＳ１では、制御部２０は、フレームバッファ１３の赤画像信号のフレームメモリＲにおける画像データの変化を時系列に監視する。具体的には、赤色画像信号の１フレーム分の画像データを、所定画像用メモリフレームＤに記憶しておき、当該画像データと、例えば、０．５秒後のフレームメモリＲの画像データとを比較する。また、緑または青画像信号、若しくは、コンポーネント信号の輝度（Ｙ）データを用いて監視することであっても良い。あるいは、輪郭補正に用いる輪郭抽出画像を、時系列に２フレーム分フレームメモリに記憶させ、その差分を取るという方法であっても良い。
ステップＳ２では、制御部２０は、ステップＳ１のフレームバッファ１３の監視において、時系列データが同一となる静止画像を検出したか確認する。静止画像を検出した場合は、ステップＳ３へ進む。静止画像を検出しない場合は、ステップＳ１へ戻りフレームバッファ１３の監視を継続する。なお、本明細書においては、ステップＳ１〜Ｓ２における制御部２０およびフレームバッファ１３による静止画像検出機能を、静止画像検出手段としている。
【００３６】
ステップＳ３では、制御部２０は、ステップＳ２において検出された静止画像が新たな静止画像であるか確認する。具体的には、ステップＳ２で検出された静止画像を記憶している所定画像用メモリフレームＤと、過去に検出された静止画像を記憶している所定画像用のメモリフレームＥとの画像データを比較する。または、記憶部２１の記憶エリアを用いて、同様の比較を行なうことでも良い。新たな静止画像であった場合には、ステップＳ４へ進む。新たな静止画像ではない場合には、ステップＳ１へ戻る。
ステップＳ４では、制御部２０は、ＯＣＲプログラムを実行し、静止画像から文字エリアを抽出する。具体的には、所定画像用メモリフレームＤの画像データからＯＣＲプログラムにより文字エリアを抽出する。ＯＣＲプログラムにおいて文字エリアは、文字を含む部位を段落ごとに区分けたブロック単位として抽出される。なお、段落単位に限定するものではなく、行単位、または箇条書き単位で抽出することであっても良い。
図３の画像５１は、ＯＣＲプログラムにより抽出された文字エリアの一態様を示している。画像５１において文字エリアは、文章の段落ごとに、文字エリア７１〜７４の４つのブロックとして抽出されている。また、抽出された各文字エリア７１〜７４内の全ての文字は、ＯＣＲプログラムによりＯＳＤメモリ１７の対応するフォントデータと対応付けがなされる。
【００３７】
ステップＳ５では、制御部２０は、ステップＳ４におけるＯＣＲプログラムの実行により、文字エリアが抽出されたか確認する。文字エリアが抽出された場合は、ステップＳ６へ進む。文字エリアが抽出されない場合は、ステップＳ１へ戻る。なお、本明細書においては、ステップＳ５における制御部２０によるＯＣＲプログラムの実行を、ＯＣＲ手段としている。
ステップＳ６では、制御部２０は、初期設定においてカーソルが表示される初期文字エリアを決定する。さらに、当該静止画像の画像データをメモリフレームＥに記憶する。また、初期文字エリアは、静止画像による投写画像を正対して観察したときに、最も上方に位置していること、および、最も上方に位置している文字エリアが複数ある場合には、向かって左側に位置していることを基準として選択される。例えば、画面５１における初期文字エリアは、文字エリア７１となる。
また、初期文字エリアの配置は、前述した配置に限定するものではなく、使用者の嗜好に合った位置に設定することであっても良い。例えば、画像の中央部に位置する文字エリアを、初期文字エリアとすることであっても良い。
【００３８】
ステップＳ７では、制御部２０は、カーソル表示手段として機能する画像信号補正部１６により、初期文字エリアにカーソルを表示させる。例えば、図３の画像５２は、初期文字エリア７１におけるカーソル表示の一態様を示している。画像５２の場合、文字エリア７１全体が方形状のブロックカーソル表示となっており、文字は白抜きの反転表示となっている。
ステップＳ８では、制御部２０は、フレームバッファ１３における最新のフレームメモリＲの画像データと、所定画像用メモリフレームＤの画像データとを比較し、画像の変化があったか確認する。画像の変化があった場合は、ステップＳ１２へ進む。画像の変化がない場合は、ステップＳ９へ進む。
【００３９】
ステップＳ９では、制御部２０は、選択されている文字エリアを拡大する操作などの拡張機能の操作を受け付ける。なお、サブルーチン化されている拡張機能の詳細については後述する。
ステップＳ１０では、制御部２０は、リモコン２４などの操作手段からカーソルを移動させるための移動信号を受信したか確認する。移動信号を受信した場合は、ステップＳ１１へ進む。移動信号を受信しない場合は、ステップＳ８へ戻る。
ステップＳ１１では、制御部２０は、ステップＳ１０で受信した移動信号に応じて、画像信号補正部１６によりカーソル表示を隣接する文字エリアに移動させる。例えば、図３の画像５３は、カーソル表示が移動した際の一態様を示している。画像５３の場合、画像５２の文字エリア７１がカーソル表示されている状態において、リモコン２４の下ボタン３２が１回押されたため、文字エリア７１と隣接するとともに、下に位置する文字エリア７２が選択され、文字エリア７２全体がブロックカーソル表示されている。
【００４０】
続いて、ステップＳ８において、画像の変化があった場合について説明する。
ステップＳ１２では、制御部２０は、画像信号補正部１６により、カーソル表示を止めさせた後、ステップＳ１へ戻る。
なお、前記説明したフローチャートにおける如何なるタイミングにおいても、操作手段からシャットダウン操作およびリセット操作の操作信号を受信した場合、制御部２０は、ポインタプログラムを終了する。
【００４１】
《カーソルの表示態様》
図４は、異なる態様のカーソル表示を含む投写画像図である。ここでは、カーソル表示の異なる態様について図４を用いて説明する。
カーソル表示は、図３で説明したような反転表示に限定するものではなく、プレゼンテーションの雰囲気に合わせて様々な態様を選択することができる。
例えば、画像５４においては、文字エリア７２の外周が枠線によりブロックカーソル表示され、さらに文字に下線が設けられている。
また、画像５５においては、文字エリア７２が矩形ではなく、トゲのある吹き出し状のブロックカーソルにより表示され、文字は反転表示されている。なお、各ブロックカーソルの背景や、枠線などに色調を付けても良い。この場合、好適には、背景画像の色調と異なる色調を選択する。
また、画像５６においては、文字エリア７２の外形を示す枠腺は存在せず、矢印状の部分カーソル７６が文字エリア７２を指し示している。
なお、これらのカーソル表示は、プロジェクタ１００の操作メニューにおいて、カーソル表示設定のメニュー画面により選択することができる。
【００４２】
《拡張機能の一態様》
図５は、カーソル表示拡大機能の流れを示す流れ図（フローチャート）である。図６は、拡大されたカーソル表示を含む投写画像の一態様を示す図である。ここでは、プロジェクタ１００のポインタ機能における拡張機能の一つであるカーソル表示の拡大機能について図５を中心に、適宜図１および図６を交えて説明する。
制御部２０は、図２におけるメインプログラムのステップＳ９において、サブルーチンプログラムの一つである拡大表示プログラムを実行する。
【００４３】
ステップＳ２１では、制御部２０は、リモコン２４などの操作手段から選択されている文字エリアを拡大表示するための操作信号を受信したか確認する。操作信号を受信した場合は、ステップＳ２２へ進む。操作信号を受信しない場合は、図２におけるメインプログラムのステップＳ１０へ進む。
ステップＳ２２では、制御部２０は、図２におけるメインプログラムのステップＳ４にて対応付けられたＯＳＤメモリ１７のフォントデータの中から、スケーラブルフォントを引き当てる。
ステップＳ２３では、制御部２０は、画像信号補正部１６により、選択されているカーソル表示を拡大表示に切り替え、さらに文字データをステップＳ２２で引き当てたスケーラブルフォントにより拡大表示させる。例えば、拡大表示を行う前に選択されていた文字エリアが、図６の画像５７に示される文字エリア７４であった場合、ステップＳ２３にて拡大表示されることによって、画像５８のように、文字エリア７４を拡大前の面積比で略２倍程度に拡大することができる。なお、スケーラブルフォントを用いずに拡大表示した場合は、画像データをＯＣＲしたビットマップフォントを拡大することになるため、ジャギーのある見づらい文字となってしまう。
【００４４】
ステップＳ２４では、制御部２０は、リモコン２４などの操作手段から選択されている文字エリアを拡大表示するための操作信号を再度受信したか確認する。なお、拡大表示プログラムにおいては、例えば、リモコン２４の拡大ボタン３５が１回操作されると拡大表示を実行し、再度操作されると拡大表示を解除するというように、サイクリックに拡大表示の実行および解除を行っている。操作信号を再度受信した場合は、ステップＳ２５へ進む。操作信号を受信しない場合は、拡大表示を継続したまま図２におけるメインプログラムのステップＳ１０へ進む。なお、拡大表示を継続したままメインプログラムに戻り、メインプログラムのステップ１０において、移動信号を受信した場合は、当該移動信号をトリガとして拡大表示を解除する。
ステップＳ２５では、制御部２０は、画像信号補正部１６により、選択されている文字エリアの拡大表示を解除し、カーソル表示（文字フォントを含む）を元のサイズに戻した後、図２におけるメインプログラムのステップＳ１０へ進む。
【００４５】
図６の画像５９は、異なる態様の拡大されたカーソル表示を含む投写画像を示している。
画像５９においては、文字エリア７４の外周が枠線によりブロックカーソル表示され、さらに文字に下線が設けられている。また、当該ブロックカーソル表示の大きさは、画像５７における文字エリア７４のブロックカーソル表示の面積比で略４倍程度になっている。さらに、文字フォントには、斜体のスケーラブルフォントが用いられている。
なお、これらのカーソル表示拡大機能も、プロジェクタ１００の操作メニューにおいて、カーソル表示拡張を設定するメニュー画面により選択することができる。
また、拡大機能は拡大ボタン３５が１回操作されると単純に拡大表示し、もう１回操作されると、スケーラブルフォントによりさらに拡大表示するというように、段階的な操作ステップによって実行されることであっても良い。
【００４６】
（１）上述した通り、本実施形態によれば以下の効果が得られる。
リモコン２４は、移動ボタンへの操作に応じて、選択されている文字エリアから隣接する文字エリアにカーソル表示を移動させるための移動信号を送信し、当該移動信号を受信したプロジェクタ１００は、選択されている文字エリアから隣接する文字エリアに、文字エリア単位でカーソル表示を移動させる。
よって、プロジェクタ１００におけるポインタ機能は、文字を含む部位を段落ごとに区分けた文字エリア単位でカーソルが移動するため、簡便な操作でカーソルを大きく素早く、所望の文字エリアまで移動させることができる。
また、文字エリアは、静止画像検出手段が静止画像を検出すると、ＯＣＲ手段により自動的に抽出されることから、使用者は、抽出された文字エリアの中から所望の文字エリアを選択するのみで良く、使い勝手が良い。
従って、操作性に優れ、使い勝手の良いポインタ機能を有するプロジェクタ１００を提供することができる。
【００４７】
（２）リモコン２４は、カーソル表示を、隣接する文字エリアに移動させるための静止画像における上下左右方向に対応した移動ボタン３１〜３４を備えていることから、当該移動ボタンの１回の操作により、カーソル表示を隣接する文字エリアへ移動させることができる。
よって、遠隔操作が可能なリモコン２４への簡単な操作により、所望の文字エリアにカーソル表示を移動することができる。
また、リモコン２４、およびプロジェクタ１００のハードウエア構成は、従来のプロジェクタ２００と略同等であるが、プロジェクタ１００がポインタプログラムを実行することにより、静止画像検出手段、ＯＣＲ手段、およびカーソル表示手段が実現されている。
よって、本発明のポインタ機能を実現させるためには、特別なハードウエア構成を必要としない。
従って、操作性に優れ、使い勝手の良いポインタ機能を有するシンプルな構成のプロジェクタ１００を提供することができる。
【００４８】
（３）初期文字エリアは、静止画像による投写画像を正対して観察したときに、最も上方に位置していること、および、最も上方に位置している文字エリアが複数ある場合には、向かって左側に位置していることを基準として選択されることから、当該静止画像において、最初に発表する可能性が高い文字エリアが初期文字エリアとして選択される。
よって、静止画像が検出されると特別な操作を必要とせずに、最初に発表する可能性が高い初期文字エリアをカーソル表示により際立たせることができる。
従って、使い勝手の良いポインタ機能を備えるプロジェクタ１００を提供することができる。
【００４９】
（４）カーソル表示は、プロジェクタ１００の操作メニューにおけるカーソル表示設定メニューにおいて、リモコン２４の移動ボタンの操作により、ブロックカーソル表示、および部分カーソル表示を含む複数のカーソル表示の中から所望のカーソル表示を選択することができる。
よって、プレゼンテーションの内容に応じて、相応しいカーソル表示を選択することができる。
従って、使い勝手の良いポインタ機能を備えるプロジェクタ１００を提供することができる。
【００５０】
（５）プロジェクタ１００は、リモコン２４などの操作手段から選択されている文字エリアを拡大表示するための操作信号を受信すると、ＯＳＤメモリ１７からスケーラブルフォントを引き当て、選択されているカーソル表示を拡大表示に切り替え、さらに文字データをスケーラブルフォントを用いて拡大表示させる。
よって、拡大表示によりカーソル表示が一層際立つとともに、拡大された文字もスケーラブルフォントによるジャギーのない読み易い文字であることから、小さい文字が含まれた文字エリアにおいても、文字の判読を容易にすることができる。
従って、使い勝手の良いポインタ機能を備えるプロジェクタ１００を提供することができる。
【００５１】
（６）ステップＳ１〜Ｓ２の静止画像検出手段では、フレームバッファ１３における時系列の画像データを比較することにより静止画像を検出していることから、動画像、およびワイプ効果などのプレゼン効果が作動している静止画像も動画像と判断し、確実に排除する。
よって、カーソル表示が必要な静止画像を精度良く検出することができる。
また、ステップＳ８において画像の変化があった場合は、ステップＳ１２においてカーソル表示を止めさせた後ステップＳ１へ戻ることから、画像信号の画像が静止画像から動画像に変化すると、速やかにカーソル表示を消し、次の静止画像を待ち受ける。
よって、カーソル表示が必要な画像を確実に識別することができる。
また、ステップＳ１１では、ステップＳ１０で受信したリモコン２４などの操作手段からの操作移動信号に応じてカーソル表示を隣接する文字エリアに移動させることから、カーソル表示は、文字エリア単位で移動する。
よって、説明の流れに沿ってカーソル表示を素早く大きく移動させることにより、説明の流れに沿ってスムーズに所望の部位を指し示すことができる。
従って、操作性に優れ、使い勝手の良いポインタ機能を実現するポインタプログラムを提供することができる。
【００５２】
なお、本発明は上述した実施形態に限定されず、上述した実施形態に種々の変更や改良などを加えることが可能である。変形例を以下に述べる。
【００５３】
（変形例１）
図１を用いて説明する。前記実施形態において、プロジェクタ１００は、拡張機能として、選択されている文字エリアを読み上げる音声合成機能をさらに備えることであっても良い。
プロジェクタ１００を含む一般のプロジェクタは、画像信号の音声信号を再生するためのアンプおよびスピーカを含む音声再生部（図示せず）を備えている。この構成に加えて、記憶部２１にフォントデータに対応した音声データと、および当該音声データを合成する音声合成部とを追加することにより、音声合成機能を実現することができる。
この構成によれば、音声合成部は、ポインタプログラムのＯＣＲ機能により認識された文字情報に対応する音声データを合成し、選択されている文字エリアを読み上げることから、発声が不自由な方にプレゼンテーションの一手段を提供することができる。
なお、音声の発声は、新たな文字エリアにカーソル表示が移動されたタイミングで行うことであっても良いし、また、リモコン２４に発声を行うための発声ボタンを設けることであっても良い。
【００５４】
（変形例２）
図１を用いて説明する。前記実施形態において、プロジェクタ１００は、拡張機能として、選択されている文字エリアの文章を他国言語に翻訳する翻訳機能をさらに備えることであっても良い。
翻訳機能を実現するためには、ポインタプログラムのＯＣＲ機能により認識された文字情報を、他国言語に翻訳するための辞書データが必要となる。当該辞書データは、記憶部２１に記憶させる構成であっても良いし、ＬＡＮを経由して複数の辞書データを記憶したサーバＰＣにアクセスすることでも良い。
また、翻訳した文章は、選択されている文字エリアの上に表示しても良いし、当該文字エリアと隣接するようにポップアップダイアログを用いて表示しても良い。
この構成によれば、プロジェクタ１００は、プレゼンテーション内容の簡易的な同時翻訳機能を実現することができる。
【００５５】
（変形例３）
図１を用いて説明する。前記実施形態において、プロジェクタ１００は、拡張機能として、ＯＣＲ認識した文字情報における機密部分をマスキングする機密保持機能をさらに備えることであっても良い。
例えば、新製品の開発コードなどの機密情報や、個人情報をあらかじめ記憶部２１に記憶させておき、ポインタプログラムのＯＣＲ機能により発表資料の文字情報が認識されると、記憶部２１の機密情報および個人情報と比較し、同一の文字情報が検出された場合は、当該部分をマスキングする。または、ブランク表示や、他の文字へ置き換えるなど、機密情報および個人情報以外の表示に置き換える方法であっても良い。
この構成によれば、プロジェクタ１００は、プレゼンテーションにおける発表内容の不意の情報漏洩を防止することができる。
【００５６】
（変形例４）
図１を用いて説明する。前記実施形態において、リモコン２４の移動ボタンは、上ボタン３１、下ボタン３２、左ボタン３３、右ボタン３４という４つの独立した操作ボタンから構成されていたが、この構成に限定するものではない。
例えば、リモコン２４にトラックボールや、ポインティンストックなどのポインティングデバイスを設け、当該ポインティングデバイスによりカーソル表示を移動させることであっても良い。
この構成によれば、より操作性に優れ、使い勝手の良いポインタ機能を有するプロジェクタ１００を提供することができる。
【００５７】
（変形例５）
図１を用いて説明する。前記実施形態において、プロジェクタ１００は、光変調装置として透過式の液晶ライトバルブ８Ｒ，８Ｇ，８Ｂを備えていたが、この構成に限定するものではない。例えば、プロジェクタ１００は、赤、緑、青色のカラーフィルタが規則的に格子状に配置され、１枚でフルカラーの変調光を射出することが可能な単板の液晶ライトバルブを備える構成であっても良い。また、反射型液晶表示装置や、ティルトミラーデバイスを用いる構成としても良い。
また、適用する電子機器も投写式のプロジェクタに限定するものではなく、例えば、光変調装置を含む光学系と、透過式スクリーンとを１つの個体内に備えたリアプロジェクタであっても良い。
これらの構成であっても、前記実施形態と同様な作用効果を得ることができる。
【図面の簡単な説明】
【００５８】
【図１】一実施形態におけるプロジェクタの概略構成図。
【図２】ポインタ機能の流れを示す流れ図。
【図３】投写画像の変遷を示す図。
【図４】異なる態様のカーソル表示を含む投写画像図。
【図５】カーソル表示拡大機能の流れを示す流れ図。
【図６】拡大されたカーソル表示を含む投写画像の一態様を示す図。
【図７】従来のプロジェクタの使用態様を示す図。
【符号の説明】
【００５９】
８Ｒ，８Ｇ，８Ｂ…光変調装置としての液晶ライトバルブ、１２…画像信号処理部、１３…フレームバッファ、１６…画像信号補正部、１７…ＯＳＤメモリ、２０…制御部、２１…記憶部、２４…操作手段としてのリモコン、２５…操作手段としての操作部、３１…移動ボタンとしての上ボタン、３２…移動ボタンとしての下ボタン、３３…移動ボタンとしての左ボタン、３４…移動ボタンとしての右ボタン、５１〜５９…静止画像、７１〜７４…文字エリア、７６…部分カーソル表示、１００…プロジェクタ。
【図１】
2007249482.tif 000003
【図２】
2007249482.tif 000004
【図５】
2007249482.tif 000005
【図７】
2007249482.tif 000006
【図３】
2007249482.tif 000007
【図４】
2007249482.tif 000008
【図６】
2007249482.tif 000009